(57)【要約】【課題】供給口と蓋体との間に氷が挟まってしまった場合でも、余分な電力の消費を抑制しつつ、蓋体を完全に閉止することができる氷供給装置を備える冷蔵庫を提供する。【解決手段】氷を供給する氷供給装置２００を備える冷蔵庫１００であって、氷供給装置２００は、氷を供給するための氷の出口である供給口２１０ａと、軸体２２１と軸体２２１が回動することで供給口２１０ａを閉止する蓋体２２２とを備える蓋ユニット２２０と、軸体２２１を回動させる駆動部２６０とを備え、駆動部２６０は、軸体２２１の回動を停止した場合、軸体２２１が回動しないように軸体２２１を固定し、蓋ユニット２２０は、さらに、軸体２２１と蓋体２２２とを接続し、蓋体２２２に供給口２１０ａを閉止する閉方向の付勢力を与える付勢部材２２３を備える。【選択図】図９Ｂ
2010203741.tif 000002
【特許請求の範囲】
【請求項１】
氷を供給する氷供給装置を備える冷蔵庫であって、
前記氷供給装置は、
氷を供給するための氷の出口である供給口と、
軸体と、前記軸体が回動することで前記供給口を閉止する蓋体とを備える蓋ユニットと、
前記軸体を回動させる駆動部とを備え、
前記駆動部は、前記軸体の回動を停止した場合、前記軸体が回動しないように前記軸体を固定し、
前記蓋ユニットは、さらに、前記軸体と前記蓋体とを接続し、前記蓋体に前記供給口を閉止する閉方向の付勢力を与える付勢部材を備える
冷蔵庫。
【請求項２】
さらに、
所定の時間間隔で、前記蓋体が前記供給口を閉止するように、前記駆動部に前記軸体を回動させる制御部を備える
請求項１に記載の冷蔵庫。
【請求項３】
氷を供給する氷供給装置であって、
氷を供給するための氷の出口である供給口と、
軸体と、前記軸体が回動することで前記供給口を閉止する蓋体とを備える蓋ユニットと、
前記軸体を回動させる駆動部とを備え、
前記駆動部は、前記軸体の回動を停止した場合、前記軸体が回動しないように前記軸体を固定し、
前記蓋ユニットは、さらに、前記軸体と前記蓋体とを接続し、前記蓋体に前記供給口を閉止する閉方向の付勢力を与える付勢部材を備える
氷供給装置。
【発明の詳細な説明】
【技術分野】
【０００１】
本発明は、冷蔵庫に関し、特に、氷を供給する氷供給装置を備える冷蔵庫に関する。
【背景技術】
【０００２】
近年、氷を供給する氷供給装置を備えた冷蔵庫が登場してきている。この氷供給装置は、氷の供給経路となる供給管と、供給管の出口である供給口を塞ぐ蓋とを備えている。そして、氷供給装置は、製氷機にて生成された氷を、供給管の供給経路を通過させて、供給口からユーザに供給する。しかし、氷供給装置が氷をユーザに供給する際に、供給口と供給口を塞ぐ蓋との間に氷が挟まり、蓋が完全に閉止しないことがあった。
【０００３】
そこで、従来、蓋の閉止のタイミングを遅延させることにより、供給口と蓋との間に氷が挟まるのを防止して、蓋を完全に閉止することができる氷供給装置が提案されている（例えば、特許文献１参照）。この従来の氷供給装置では、蓋の閉止のタイミングを遅延させることにより、供給管内に残存する氷が、供給経路を通過して、供給口から排出される。そして、供給管内に氷が残らないようにすることで、供給口と蓋との間に氷が挟まるのを防止して、蓋を完全に閉止することができる。
【特許文献１】特開平１１−２８７５５０号公報
【発明の開示】
【発明が解決しようとする課題】
【０００４】
しかし、上記従来の冷蔵庫の氷供給装置では、供給口と蓋との間に氷が挟まるのを防止しているが、供給口と蓋との間に氷が挟まってしまった場合には、蓋を完全に閉止することができないという問題がある。
【０００５】
つまり、従来の氷供給装置では、蓋の閉止のタイミングを遅延させても、供給口と蓋との間に氷が挟まってしまう場合がある。例えば、従来の氷供給装置では、供給管内に残存する氷の量に合ったタイミングで蓋が閉止しなければ、供給管内に残存する氷を全て供給口から排出させることができない。しかし、供給管内に残存する氷の量にはばらつきがあるため、蓋の閉止のタイミングによっては、供給管内に残存する氷を全て供給口から排出させることができない場合がある。また、供給管内又は供給口で氷が詰まってしまうなどにより、供給管内に残存する氷を全て供給口から排出させることができない場合もある。
【０００６】
そして、供給管内に残存する氷が、供給口と蓋との間に挟まることで、蓋が完全に閉止しない場合がある。例えば、蓋の開閉を行う駆動機構に、ギアモータが使用されている場合、供給口と蓋との間に氷が挟まった状態でギアモータが停止すると、蓋が完全に閉止していない状態で蓋の位置が固定される。このため、氷が解けた後も、蓋が完全に閉止せずに、蓋が開いた状態が継続する。
【０００７】
また、氷が解けて蓋が完全に閉止するまで、ギアモータを駆動し続けることで、蓋を完全に閉止することができるが、これには、ギアモータを駆動し続けるための余分な電力が必要である。
【０００８】
そこで、本発明は、このような問題に鑑みてなされたものであり、供給口と蓋との間に氷が挟まってしまった場合でも、余分な電力の消費を抑制しつつ、蓋を完全に閉止することができる氷供給装置を備える冷蔵庫を提供することを目的とする。
【課題を解決するための手段】
【０００９】
上記目的を達成するために、本発明に係る冷蔵庫は、氷を供給する氷供給装置を備える冷蔵庫であって、前記氷供給装置は、氷を供給するための氷の出口である供給口と、軸体と、前記軸体が回動することで前記供給口を閉止する蓋体とを備える蓋ユニットと、前記軸体を回動させる駆動部とを備え、前記駆動部は、前記軸体の回動を停止した場合、前記軸体が回動しないように前記軸体を固定し、前記蓋ユニットは、さらに、前記軸体と前記蓋体とを接続し、前記蓋体に前記供給口を閉止する閉方向の付勢力を与える付勢部材を備える。
【００１０】
これによれば、駆動部が停止して軸体が固定された状態で、付勢部材によって、蓋体に供給口を閉止する閉方向の付勢力が与えられる。このため、氷が供給口と蓋体との間に挟まったとしても、当該氷が解ければ、付勢部材の付勢力によって、蓋体が供給口を閉止する。また、この際に、蓋体が供給口を閉止するための電力は必要ない。したがって、供給口と蓋体との間に氷が挟まってしまった場合でも、余分な電力の消費を抑制しつつ、蓋体を完全に閉止することができる。
【００１１】
また、好ましくは、さらに、所定の時間間隔で、前記蓋体が前記供給口を閉止するように、前記駆動部に前記軸体を回動させる制御部を備える。
【００１２】
これによれば、制御部が、所定の時間間隔で、蓋体が供給口を閉止するように、駆動部に軸体を回動させる。ここで、大きい氷が供給口と蓋体との間に挟まった場合は、付勢部材による閉方向への蓋体の移動によっても、蓋体が供給口を完全に閉止することができない可能性がある。この場合、当該大きな氷が解けた後に、制御部が駆動部に軸体を回動させることで、蓋体を完全に閉止することができる。また、制御部は、駆動部に軸体を回動させ続けているのではなく、所定の時間間隔で、駆動部に軸体を回動させているため、余分な電力の消費は抑えられている。したがって、供給口と蓋体との間に氷が挟まってしまった場合でも、余分な電力の消費を抑制しつつ、蓋体を完全に閉止することができる。
【００１３】
なお、本発明は、このような氷供給装置を備える冷蔵庫として実現することができるだけでなく、氷供給装置としても実現することができる。
【発明の効果】
【００１４】
本発明により、供給口と蓋体との間に氷が挟まってしまった場合でも、余分な電力の消費を抑制しつつ、蓋体を完全に閉止することができる氷供給装置を備える冷蔵庫を提供することができるため、本発明の実用的価値は極めて高い。
【発明を実施するための最良の形態】
【００１５】
以下、本願発明に係る冷蔵庫の実施の形態について、図面を参照しながら説明する。
図１は、冷蔵庫の外観を示す斜視図である。
【００１６】
図２は、第三扉と第四扉とが開けられた冷蔵庫の外観を示す斜視図である。
これらの図に示すように、冷蔵庫１００は、断熱箱体１５０と、第一扉１１１と、第二扉１２１と、第三扉１１２と、貫通孔１１３と、第四扉１２２と、受け取り空間１２３とを備えている。
【００１７】
断熱箱体１５０は、前面が開口した箱体であり、冷蔵庫１００の内方と外方との熱の出入りを遮断する断熱性能を備えている。
【００１８】
第一扉１１１は、断熱箱体１５０に向かって右側の開口部分を開閉自在に塞ぐ扉である。本実施の形態の場合、第一扉１１１は、断熱箱体１５０の右側の壁の前方に上下方向に延びる回動軸を中心として回動するように、ヒンジ（図示せず）によって断熱箱体１５０に取り付けられている。また、第一扉１１１は、前方から見た場合長方形であり、第一扉１１１の右端縁部に前記回動軸が通っている。
【００１９】
第二扉１２１は、断熱箱体１５０に向かって左側の開口部分を開閉自在に塞ぐ扉である。本実施の形態の場合、第二扉１２１は、断熱箱体１５０の左側の壁の前方に上下方向に延びる回動軸を中心として回動するように、ヒンジ（図示せず）によって断熱箱体１５０に取り付けられている。また、第二扉１２１は、前方から見た場合長方形であり、第二扉１２１の左端縁部に前記回動軸が通っている。
【００２０】
貫通孔１１３は、第一扉１１１を厚さ方向に貫通する孔である。貫通孔１１３は、第一扉１１１を開けることなく、第一扉１１１の後方に貯蔵されている貯蔵物を取り出し、また、第一扉１１１の後方に貯蔵するために貯蔵物を差し入れるための孔である。
【００２１】
第三扉１１２は、貫通孔１１３を開閉自在に塞ぐ扉である。本実施の形態の場合、第三扉１１２は、貫通孔１１３の下端縁に左右方向に延びる回動軸を中心として回動するように、ヒンジ（図示せず）によって第一扉１１１に取り付けられている。また、第三扉１１２は、前方から見た場合ほぼ正方形であり（角は丸められている）、第三扉１１２の下端縁部に前記回動軸が通っている。
【００２２】
受け取り空間１２３は、第二扉１２１の内方に備えられ、第二扉１２１の内方に配置される氷供給装置（図示せず）から供給される氷などを、ユーザが受け取るための空間である。受け取り空間１２３の前面部には、第二扉１２１の前面部が厚さ方向に貫通されて、開口部が形成されている。
【００２３】
つまり、第四扉１２２は、受け取り空間１２３の前面部を開閉自在に塞ぐ扉である。本実施の形態の場合、第四扉１２２は、受け取り空間１２３の前面部の下端縁に左右方向に延びる回動軸を中心として回動するように、ヒンジ（図示せず）によって第二扉１２１に取り付けられている。また、第四扉１２２は、前方から見た場合ほぼ正方形であり（角は丸められている）、第四扉１２２の下端縁部に前記回動軸が通っている。
【００２４】
図３は、第一扉と第二扉とが開けられた冷蔵庫の外観を示す斜視図である。
同図に示すように、冷蔵庫１００は、区画壁１５３を備えている。
【００２５】
区画壁１５３は、断熱箱体１５０の内方を左右に区画する壁である。本実施の形態の場合、断熱箱体１５０の内方で区画壁１５３の右側は、第一貯蔵室１５１であり、冷蔵室となっている。一方、断熱箱体１５０の内方で区画壁１５３の左側は、第二貯蔵室１５２であり、冷凍室となっている。区画壁１５３は、冷蔵室と冷凍室とを区画する壁であり、断熱性能を備えている。
【００２６】
そして、冷凍室である第二貯蔵室１５２の開口部分を開閉自在に塞ぐ第二扉１２１の内方（同図に示すＡ部）には、生成された氷をユーザに供給する氷供給装置が配置されている。
【００２７】
以下に、この氷供給装置の詳細を説明する。
図４は、氷供給装置２００の構造を示す断面図である。具体的には、同図は、図３に示した第二扉１２１のＡ部の断面を模式的に示す断面図である。なお、同図では、説明の便宜のため、第四扉１２２を省略して図示している。
【００２８】
同図に示すように、氷供給装置２００は、生成された氷を供給する装置であり、供給管２１０と、蓋ユニット２２０と、レバー２４０と、排出部２５０とを備えている。
【００２９】
供給管２１０は、上方に配置されている製氷機（図示せず）によって生成された氷を、ユーザに供給するための供給経路を形成する管である。供給管２１０は、供給口２１０ａを備えている。
【００３０】
供給口２１０ａは、供給管２１０の開口である。具体的には、供給口２１０ａは、氷を供給するための氷の出口である。なお、供給口２１０ａは、供給される氷が通過できる形状であればどのような形状であってもよい。
【００３１】
蓋ユニット２２０は、供給管２１０の供給口２１０ａを塞ぐ蓋である。蓋ユニット２２０は、軸体２２１と蓋体２２２とを備えている。
【００３２】
軸体２２１は、蓋体２２２の上方に配置されており、蓋体２２２を回動するための棒状の軸である。具体的には、軸体２２１は、軸体２２１が回動することで、蓋体２２２を、軸体２２１を中心に軸体２２１まわりに回動させる。なお、軸体２２１は、蓋体２２２の上方に配置されるのが好ましいが、上方に限定されず、中央部に配置されていてもよい。
【００３３】
蓋体２２２は、軸体２２１が回動することで、軸体２２１まわりに回動し、供給口２１０ａの開閉を行う平板上の部位である。つまり、蓋体２２２は、軸体２２１が回動する（同図では右回りに回動する）ことで供給口２１０ａを開口する。また、蓋体２２２は、軸体２２１が回動する（同図では左回りに回動する）ことで供給口２１０ａを閉止する。なお、蓋体２２２は、供給口２１０ａを閉止できる形状であれば、どのような形状であってもよい。
【００３４】
レバー２４０は、軸体２２１を回動させ、蓋体２２２に供給口２１０ａを開閉させるためのスイッチである。具体的には、ユーザがコップＰの中に氷を供給したい場合は、コップＰを受け取り空間１２３に挿入して、コップＰでレバー２４０をＸ方向に押圧する。この場合、レバー２４０の下端部がＸ方向に押圧されるため、レバー２４０は、上端部を中心にしてＸ方向に回動する。そして、レバー２４０が所定の角度まで回動すれば、蓋体２２２に供給口２１０ａを開口させる。
【００３５】
また、コップＰの中に氷が供給され、ユーザがコップＰを受け取り空間１２３から取り出した場合は、レバー２４０は元の位置に戻される。そして、レバー２４０が元の位置に戻る際に、レバー２４０が上記所定の角度の位置から解除されることにより、蓋体２２２が供給口２１０ａを閉止する。
【００３６】
排出部２５０は、供給口２１０ａから供給される氷を排出する部位である。この排出部２５０から排出される氷が、ユーザのコップＰの中に供給される。
【００３７】
図５は、氷供給装置２００の構造を示す斜視図である。なお、説明の便宜のため、同図では、供給管２１０と、蓋ユニット２２０等を覆うカバー３００とを透明にして、点線で示している。
【００３８】
図６は、氷供給装置２００を後方から見た斜視図である。具体的には、同図は、図５に示された氷供給装置２００を右上側から見た斜視図である。なお、説明の便宜のため、同図では、供給管２１０を省略して図示している。
【００３９】
これらの図に示すように、氷供給装置２００は、さらに、駆動部２６０を備えている。
【００４０】
駆動部２６０は、軸体２２１を回動させるための駆動機構である。つまり、駆動部２６０は、軸体２２１を回動させることで、蓋体２２２を軸体２２１まわりに回動させ、供給口２１０ａに対して蓋体２２２を開閉する。
【００４１】
具体的には、駆動部２６０は、レバー２４０が所定の角度まで回動すれば、蓋体２２２が供給口２１０ａを開口するように駆動する。また、駆動部２６０は、レバー２４０が上記所定の角度の位置から解除されれば、蓋体２２２が供給口２１０ａを閉止するように駆動する。
【００４２】
また、駆動部２６０は、軸体２２１の回動を停止した場合、軸体２２１が回動しないように軸体２２１を固定する。具体的には、駆動部２６０は、ウォームギアなどからなるギアモータを備えている。このため、駆動部２６０が軸体２２１の回動を停止すれば、駆動部２６０が停止したときの位置で軸体２２１の回動が固定され、蓋体２２２の位置も固定される。
【００４３】
図７は、駆動部２６０を制御するための機能構成を示す機能ブロック図である。
同図に示すように、冷蔵庫１００は、さらに、駆動部２６０を制御するための制御部２７０を備えている。
【００４４】
制御部２７０は、駆動部２６０を制御するための処理部である。つまり、制御部２７０は、レバー２４０の回動によって、蓋体２２２が供給口２１０ａを開閉するように、駆動部２６０を駆動させる。
【００４５】
具体的には、制御部２７０は、蓋体２２２が供給口２１０ａを開口するように、駆動部２６０に軸体２２１を回動させる。また、制御部２７０は、蓋体２２２が供給口２１０ａを閉止するように、軸体２２１を回動させる。
【００４６】
また、制御部２７０は、所定の時間間隔で、蓋体２２２が供給口２１０ａを閉止するように、駆動部２６０に軸体２２１を回動させる。ここで、所定の時間は、数分でも数時間でもよく、特に限定されないが、蓋体２２２と供給口２１０ａとの間に挟まった氷が解ける間の時間であることが好ましい。
【００４７】
次に、蓋ユニット２２０の構造について、詳細に説明する。
図８は、蓋ユニット２２０の外観を示す斜視図である。
【００４８】
図９Ａ及び図９Ｂは、蓋ユニット２２０の構造を示す平面図である。
これらの図に示すように、蓋ユニット２２０は、軸体２２１と蓋体２２２のほかに、付勢部材２２３とストッパ２２４とを備えている。
【００４９】
付勢部材２２３は、軸体２２１と蓋体２２２とを接続し、蓋体２２２に供給口２１０ａを閉止する閉方向の付勢力を与える部位である。つまり、付勢部材２２３の一端は、軸体２２１に固定されており、付勢部材２２３の他端は、ストッパ２２４を介して蓋体２２２に固定されている。具体的には、付勢部材２２３は、ねじりばねである。
【００５０】
ストッパ２２４は、付勢部材２２３の他端及び軸体２２１に固定されており、付勢部材２２３による蓋体２２２の軸体２２１まわりの回動を規制する部位である。具体的には、ストッパ２２４は、図９Ａに示されたａの範囲しか蓋体２２２が回動しないように、配置されている。ここで、ａは、例えば５ｍｍである。
【００５１】
ここで、図９Ａは、蓋体２２２が供給口２１０ａを開口している状態での蓋ユニット２２０を図示しており、図９Ｂは、蓋体２２２が供給口２１０ａを閉止している状態での蓋ユニット２２０を図示している。つまり、図９Ｂに示される蓋ユニット２２０では、付勢部材２２３が、蓋体２２２に供給口２１０ａを閉止する閉方向（同図では下方）の付勢力を与えている。
【００５２】
次に、蓋ユニット２２０の開閉動作について、具体的に説明する。
図１０Ａ及び図１０Ｂは、蓋ユニット２２０の開閉動作を説明するための図である。具体的には、図１０Ａは、蓋ユニット２２０の開状態を示しており、図１０Ｂは、蓋ユニット２２０の閉状態を示している。
【００５３】
まず、図１０Ａに示すように、制御部２７０による駆動部２６０の駆動により、軸体２２１が回動する（同図では右回りに回動する）ことで、蓋体２２２が供給口２１０ａを開口する。この開状態での付勢部材２２３及びストッパ２２４は、蓋体２２２に対して図９Ａに示された状態での配置になっている。つまり、付勢部材２２３が蓋体２２２に付勢力を与えていない状態である。
【００５４】
そして、図１０Ｂに示すように、制御部２７０による駆動部２６０の駆動により、軸体２２１が回動する（同図では左回りに回動する）ことで、蓋体２２２が供給口２１０ａを閉止する。この閉状態での付勢部材２２３及びストッパ２２４は、蓋体２２２に対して図９Ｂに示された状態での配置になっている。つまり、付勢部材２２３が蓋体２２２に供給口２１０ａを閉止する閉方向の付勢力を与えている状態である。
【００５５】
具体的には、まず、図１０Ａに示された状態から、軸体２２１が回動することで、図９Ａに示された状態で、蓋体２２２が供給口２１０ａを閉止する。そして、さらに、軸体２２１が回動することで、ストッパ２２４が軸体２２１まわりに回動し、付勢部材２２３及びストッパ２２４は、図９Ｂに示された状態での配置になる。
【００５６】
図１１Ａ及び図１１Ｂは、氷が挟まった場合の蓋ユニット２２０の閉動作を説明するための図である。具体的には、図１１Ａは、氷が挟まった場合の蓋ユニット２２０の閉状態を示しており、図１１Ｂは、氷が解けた後の蓋ユニット２２０の閉状態を示している。
【００５７】
まず、図１１Ａに示すように、図１０Ａに示された状態から、軸体２２１が回動する（同図では左回りに回動する）。そして、蓋体２２２と供給口２１０ａとの間に氷Ｑが挟まったまま、図９Ａに示された状態で、蓋体２２２が供給口２１０ａを閉止する。
【００５８】
そして、さらに、軸体２２１が回動することで、ストッパ２２４が軸体２２１まわりに回動し、付勢部材２２３及びストッパ２２４は、図９Ｂに示された状態での配置になる。つまり、付勢部材２２３が蓋体２２２に供給口２１０ａを閉止する閉方向の付勢力を与えている状態である。
【００５９】
ここで、蓋体２２２と供給口２１０ａとの間には、氷Ｑが挟まったままであるが、この状態で、制御部２７０による駆動部２６０の駆動は停止される。このため、軸体２２１の回動も、氷Ｑが挟まった状態での位置に固定される。
【００６０】
次に、図１１Ｂに示すように、挟まっている氷Ｑが解けると、付勢部材２２３によって、蓋体２２２に供給口２１０ａを閉止する。具体的には、付勢部材２２３による蓋体２２２への閉方向の付勢力によって、挟まっている氷Ｑが解けるにしたがって、蓋体２２２が軸体２２１まわりに回動する。そして、蓋体２２２は、付勢部材２２３及びストッパ２２４に対して、図９Ａに示された状態での配置になり、供給口２１０ａを完全に閉止する。
【００６１】
以上のように、駆動部２６０が停止して軸体２２１が固定された状態で、付勢部材２２３によって、蓋体２２２に供給口２１０ａを閉止する閉方向の付勢力が与えられている。このため、氷が供給口２１０ａと蓋体２２２との間に挟まったとしても、当該氷が解ければ、付勢部材２２３の付勢力によって、蓋体２２２が供給口２１０ａを閉止する。また、この際に、蓋体２２２が供給口２１０ａを閉止するための電力は必要ない。
【００６２】
ここで、蓋体２２２が回動できる範囲は、図９Ａに示されたａの範囲であるので、挟まっている氷の大きさによっては、蓋体２２２が供給口２１０ａを完全に閉止できない場合がある。
【００６３】
このため、制御部２７０は、所定の時間間隔で、蓋体２２２が供給口２１０ａを閉止するように、駆動部２６０に軸体２２１を回動させる。これにより、蓋体２２２が供給口２１０ａを完全に閉止することができる。
【００６４】
また、制御部２７０は、駆動部２６０に軸体２２１を回動させ続けているのではなく、所定の時間間隔で、駆動部２６０に軸体２２１を回動させているため、余分な電力の消費は抑えられている。
【００６５】
したがって、供給口２１０ａと蓋体２２２との間に氷が挟まってしまった場合でも、余分な電力の消費を抑制しつつ、蓋体２２２を完全に閉止することができる。
【００６６】
以上、本発明に係る冷蔵庫について、上記実施の形態を用いて説明したが、本発明は、これに限定されるものではない。
【００６７】
つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００６８】
例えば、本実施の形態では、付勢部材２２３はねじりばねであることとした。しかし、付勢部材２２３はねじりばねであることには限定されない。
【００６９】
図１２は、付勢部材の本実施の形態の変形例を示す図である。
同図に示すように、蓋ユニット２２０は、図８に示された付勢部材２２３の代わりに、付勢部材２２３ａを備えている。ここで、付勢部材２２３ａは、板状の板ばねである。そして、付勢部材２２３ａの一端は軸体２２１に固定され、付勢部材２２３ａの他端は蓋体２２２に固定されている。これにより、付勢部材２２３ａは、蓋体２２２に供給口２１０ａを閉止する閉方向の付勢力を与えることができる。また、この場合は、図９Ａに示されたようにストッパ２２４によって蓋体２２２の回動が規制されることがないので、比較的大きな氷が挟まれても、蓋体２２２が供給口２１０ａを完全に閉止することができる。
【産業上の利用可能性】
【００７０】
本発明は、冷蔵庫に利用可能である。
【図面の簡単な説明】
【００７１】
【図１】冷蔵庫の外観を示す斜視図である。
【図２】第三扉と第四扉とが開けられた冷蔵庫の外観を示す斜視図である。
【図３】第一扉と第二扉とが開けられた冷蔵庫の外観を示す斜視図である。
【図４】氷供給装置の構造を示す断面図である。
【図５】氷供給装置の構造を示す斜視図である。
【図６】氷供給装置を後方から見た斜視図である。
【図７】駆動部を制御するための機能構成を示す機能ブロック図である。
【図８】蓋ユニットの外観を示す斜視図である。
【図９Ａ】蓋ユニットの構造を示す平面図である。
【図９Ｂ】蓋ユニットの構造を示す平面図である。
【図１０Ａ】蓋ユニットの開閉動作を説明するための図である。
【図１０Ｂ】蓋ユニットの開閉動作を説明するための図である。
【図１１Ａ】氷が挟まった場合の蓋ユニットの閉動作を説明するための図である。
【図１１Ｂ】氷が挟まった場合の蓋ユニットの閉動作を説明するための図である。
【図１２】付勢部材の本実施の形態の変形例を示す図である。
【符号の説明】
【００７２】
１００    冷蔵庫
１１１    第一扉
１１２    第三扉
１１３    貫通孔
１２１    第二扉
１２２    第四扉
１２３    受け取り空間
１５０    断熱箱体
１５１    第一貯蔵室
１５２    第二貯蔵室
１５３    区画壁
２００    氷供給装置
２１０    供給管
２１０ａ  供給口
２２０    蓋ユニット
２２１    軸体
２２２    蓋体
２２３    付勢部材
２２４    ストッパ
２４０    レバー
２５０    排出部
２６０    駆動部
２７０    制御部
３００    カバー
【図１】
2010203741.tif 000003
【図２】
2010203741.tif 000004
【図３】
2010203741.tif 000005
【図４】
2010203741.tif 000006
【図５】
2010203741.tif 000007
【図６】
2010203741.tif 000008
【図７】
2010203741.tif 000009
【図８】
2010203741.tif 000010
【図９Ａ】
2010203741.tif 000011
【図９Ｂ】
2010203741.tif 000012
【図１０Ａ】
2010203741.tif 000013
【図１０Ｂ】
2010203741.tif 000014
【図１１Ａ】
2010203741.tif 000015
【図１１Ｂ】
2010203741.tif 000016
【図１２】
2010203741.tif 000017